(57)【要約】【課題】多様なディスプレイ装置を連結して構成したマルチディスプレイ装置を提供する。【解決手段】第１ディスプレイ装置１１０、第２ディスプレイ装置２１０及び透明プレート２５０を含むマルチディスプレイ装置。第２ディスプレイ装置は、第１ディスプレイ装置と少なくとも一部重なるように構成される。透明プレートは、第１ディスプレイ装置と第２ディスプレイ装置のうち、少なくとも一部を覆う。【選択図】図２
2010117717.tif 000002
【特許請求の範囲】
【請求項１】
映像をディスプレイする第１ディスプレイ領域を有する第１ディスプレイ装置と、
映像をディスプレイする第２ディスプレイ領域を有する第２ディスプレイ装置と、
前記第１ディスプレイ領域と接触し、前記第２ディスプレイ領域の少なくとも一部を覆うように延びた透明プレートと、を含むマルチディスプレイ装置。
【請求項２】
前記第２ディスプレイ装置は、前記第１ディスプレイ装置の一部と重なるように配されることを特徴とする請求項１に記載のマルチディスプレイ装置。
【請求項３】
前記透明プレートは、単一構成からなることを特徴とする請求項１または２に記載のマルチディスプレイ装置。
【請求項４】
前記透明プレートは、第１ディスプレイ装置の少なくとも一部を覆い包むことを特徴とする請求項１〜３のいずれか１項に記載のマルチディスプレイ装置。
【請求項５】
前記透明プレートは、第１ディスプレイ装置と一体に形成されることを特徴とする請求項１〜４のいずれか１項に記載のマルチディスプレイ装置。
【請求項６】
前記第１ディスプレイ装置と第２ディスプレイ装置との間に断絶感なしに映像がディスプレイされることを特徴とする請求項１〜５のいずれか１項に記載のマルチディスプレイ装置。
【請求項７】
前記透明プレートは、有機ポリマーを含むことを特徴とする請求項１〜６のいずれか１項に記載のマルチディスプレイ装置。
【請求項８】
前記有機ポリマーは、ＰＤＭＳ（ポリジメイチルシロキサン）であることを特徴とする請求項７に記載のマルチディスプレイ装置。
【請求項９】
前記有機ポリマーは、１．０ないし２．０の屈折率を有することを特徴とする請求項７に記載のマルチディスプレイ装置。
【請求項１０】
前記有機ポリマーは、室温での測定時、約１０４ないし１０７Ｐａの弾性係数を有することを特徴とする請求項７に記載のマルチディスプレイ装置。
【請求項１１】
第１ディスプレイ装置と、
前記第１ディスプレイ装置と少なくとも一部重なるように位置した第２ディスプレイ装置と、
前記第１ディスプレイ装置の少なくとも一部分を覆い包み、前記第２ディスプレイ装置の少なくとも一部まで覆うように延びた透明プレートと、を含むマルチディスプレイ装置。
【請求項１２】
前記透明プレートは、前記第１ディスプレイ装置と一体に形成されたことを特徴とする請求項１１に記載のマルチディスプレイ装置。
【請求項１３】
前記第１及び第２ディスプレイ装置は、各々第１及び第２ディスプレイ領域を含み、前記透明プレートは、第１及び第２ディスプレイ装置の第１及び第２ディスプレイ領域をカバーすることを特徴とする請求項１１または１２に記載のマルチディスプレイ装置。
【請求項１４】
前記第１ディスプレイ装置を覆っている前記透明プレートの厚さは、前記第１ディスプレイ装置の厚さより０．００２ｍｍないし２ｍｍさらに厚いことを特徴とする請求項１１〜１３のいずれか１項に記載のマルチディスプレイ装置。
【請求項１５】
前記透明プレートの屈折率は１．０〜２．０であることを特徴とする請求項１１〜１４のいずれか１項に記載のマルチディスプレイ装置。
【請求項１６】
前記透明プレートは有機ポリマーからなることを特徴とする請求項１１〜１５のいずれか１項に記載のマルチディスプレイ装置。
【請求項１７】
前記透明プレートは弾性重合体からなることを特徴とする請求項１１〜１５のいずれか１項に記載のマルチディスプレイ装置。
【請求項１８】
前記有機ポリマーは、熱可塑性樹脂、熱硬化性樹脂または熱可塑性樹脂と熱硬化性樹脂との混合物であることを特徴とする請求項１６に記載のマルチディスプレイ装置。
【請求項１９】
前記有機ポリマーは、ポリオレフィン、ポリアクリル酸、ポリアクリレート、ポリメチルメタクリレート、ポリカーボネート、ポリスチレン、ポリエステル、ポリアリレート、ポリアリールスルホン、ポリエーテルスルホン、ポリフェニレンスルフィド、ポリスルホン、ポリイミド、ポリエーテルイミド、ポリテトラフルオロエチレン、ポリエーテルケトン、ポリエーテルエーテルケトン、ポリエーテルケトンケトン、ポリシロキサン、ポリブタジエン、ポリ−イソプレン、ポリニトリルのうちから選択されたいずれか１つの材料またはそれらの組合わせのうち、１つであることを特徴とする請求項１６に記載のマルチディスプレイ装置。
【請求項２０】
前記透明プレートには、添加剤がさらに含まれていることを特徴とする請求項１１〜１９のいずれか１項に記載のマルチディスプレイ装置。
【請求項２１】
前記透明プレートの上部に配された光学フィルムをさらに含むことを特徴とする請求項１１〜２０のいずれか１項に記載のマルチディスプレイ装置。
【請求項２２】
前記光学フィルムは、偏光フィルム、反射防止フィルム（ＡＲフィルム）及びアンチグレアフィルム（ＡＧフィルム）のうちからいずれか１つであることを特徴とする請求項２１に記載のマルチディスプレイ装置。
【請求項２３】
前記第１及び第２ディスプレイ装置各々は、基板及び前記ディスプレイ装置を各々覆って保護するカバーをさらに具備することを特徴とする請求項１１〜２２のいずれか１項に記載のマルチディスプレイ装置。
【請求項２４】
前記第１及び第２ディスプレイ装置を保護するカバーと前記透明プレートとの屈折率が１．０ないし２．０の範囲にあることを特徴とする請求項２３に記載のマルチディスプレイ装置。
【請求項２５】
前記第１及び第２ディスプレイ装置を保護するカバーと前記透明プレートとの屈折率が同じであることを特徴とする請求項２３または２４に記載のマルチディスプレイ装置。
【請求項２６】
前記第１及び第２ディスプレイ装置は互いに折畳み可能に連結されたことを特徴とする請求項１１〜２５のいずれか１項に記載のマルチディスプレイ装置。
【請求項２７】
第１ディスプレイ装置と、
前記第１ディスプレイ装置と少なくとも一部重なるように位置した第２ディスプレイ装置と、
前記第１ディスプレイ装置と一体に形成され、前記第２ディスプレイ装置の少なくとも一部まで覆うように延びた透明プレートと、を含むことを特徴とするマルチディスプレイ装置。
【請求項２８】
前記第１及び第２ディスプレイ装置は各々第１及び第２ディスプレイ領域を含み、前記透明プレートは前記第１及び第２ディスプレイ装置の第１及び第２ディスプレイ領域を覆っていることを特徴とする請求項２７に記載のマルチディスプレイ装置。
【請求項２９】
前記透明プレートはＰＤＭＳ（ポリジメイチルシロキサン）であることを特徴とする請求項２７または２８に記載のマルチディスプレイ装置。
【請求項３０】
前記透明プレートは、第１ディスプレイ装置の少なくとも一部を覆い包むことを特徴とする請求項２７〜２９のいずれか１項に記載のマルチディスプレイ装置。
【発明の詳細な説明】
【技術分野】
【０００１】
本発明は、複数のディスプレイ装置を連結して画面を具現するマルチディスプレイ装置に係り、特に折畳み式で連結されたマルチディスプレイ装置に関する。
【背景技術】
【０００２】
一般に、マルチディスプレイ装置は、複数のディスプレイ装置を連結して１つの大画面を具現した装置を意味する。初期には展示用大型ＴＶのようにブラウン管を複数連結して大画面を作ることが一例である。
【０００３】
このようなマルチディスプレイ装置を作る時、単位ディスプレイ装置を横並びに連結して作ることが一般的な方式である。すなわち、複数の単位ディスプレイ装置を準備して横並びに連結したマルチ画面を具現することである。ところが、このように単位ディスプレイ装置を連結すれば、両ディスプレイ装置間の継ぎ目で画像が自然に連結されず、深刻な断絶感を与えうる。また、ディスプレイ装置間に存在するエアーギャップによる断絶感も感じられる。
【発明の概要】
【発明が解決しようとする課題】
【０００４】
本発明は、継ぎ目での断絶感を緩和させ、自然な画像を具現するマルチディスプレイ装置を提供することである。
【課題を解決するための手段】
【０００５】
前記課題を達成するために本発明は、映像をディスプレイする第１ディスプレイ領域を有する第１ディスプレイ装置と、映像をディスプレイする第２ディスプレイ領域を有する第２ディスプレイ装置と、第１ディスプレイ領域と接触して第２ディスプレイ領域の少なくとも一部まで覆うように延びた透明プレートと、を含むマルチディスプレイ装置が提供される。
【０００６】
ここで提供されるマルチディスプレイ装置は、第１ディスプレイ装置と、前記第１ディスプレイ装置と少なくとも一部重なるように位置した第２ディスプレイ装置と、前記第１ディスプレイ装置の少なくとも一部を覆い包み、前記第２ディスプレイ装置の少なくとも一部まで覆うように延びた透明プレートを含みうる。
【０００７】
例えば、前記透明プレートは前記第１ディスプレイ装置と一体に形成しうる。
【０００８】
また、前記第１及び第２ディスプレイ装置は各々第１及び第２ディスプレイ領域を含み、前記透明プレートは第１及び第２ディスプレイ装置の第１及び第２ディスプレイ領域をカバーしうる。
【０００９】
前記第１ディスプレイ装置を覆っている前記透明プレートの厚さは、前記第１ディスプレイ装置の厚さより、例えば、約０．００２ｍｍ〜２ｍｍ程度さらに厚くありえる。
【００１０】
また、前記透明プレートの屈折率は、例えば、約１．０〜２．０でありえる。
【００１１】
一実施形態によれば、前記透明プレートは有機ポリマーからなりうる。
【００１２】
一実施形態で、前記透明プレートは、弾性重合体で形成されうる。
【００１３】
他の実施形態で、前記透明プレートは、室温での測定時、約１０４ないし１０７Ｐａ程度の弾性係数を有する有機ポリマーで形成されうる。
【００１４】
例えば、前記透明プレートはポリオレフィン、ポリアクリル酸、ポリアクリレート、ポリメチルメタクリレート、ポリカーボネート、ポリスチレン、ポリエステル、ポリアリレート、ポリアリールスルホン、ポリエーテルスルホン、ポリフェニレンスルフィド、ポリスルホン、ポリイミド、ポリエーテルイミド、ポリテトラフルオロエチレン、ポリエーテルケトン、ポリエーテルエーテルケトン、ポリエーテルケトンケトン、ポリシロキサン、ポリブタジエン、ポリ−イソプレン、ポリニトリルのうちから選択されたいずれか１つの材料またはそれらの組合わせのうち、１つでなされうる。
【００１５】
また、前記透明プレートは、上のような材料に添加剤がさらに含まれることもある。
【００１６】
前記透明プレートの上部には光学フィルムがさらに配されうる。
【００１７】
例えば、前記光学フィルムは、偏光フィルム、反射防止フィルム（ＡＲフィルム）及びアンチグレアフィルム（ＡＧフィルム）のうちからの少なくとも１つでありうる。
【００１８】
一方、前記第１及び第２ディスプレイ装置各々は、基板、ディスプレイ領域、及び前記ディスプレイ領域を各々覆って保護するカバーをさらに具備しうる。
【００１９】
前記カバーと前記透明プレートとの屈折率は、例えば、約１．０ないし２．０程度の範囲にありえる。
【００２０】
例えば、前記カバーと前記透明プレートとの屈折率は同一でありえる。
【００２１】
また、前記第１ディスプレイ装置の基板は、２領域、すなわち、厚さの異なる第１領域と第２領域とを有し、この際、第２ディスプレイ装置と第１ディスプレイ装置との境界にある第２領域が、第１領域より薄い。
【００２２】
一実施形態によれば、前記透明プレートは、前記第１ディスプレイ装置の第２領域まで覆うことができる。
【００２３】
また、前記第１及び第２ディスプレイ装置は折畳み可能に連結されうる。
【００２４】
この際、前記透明プレートは、前記第１及び第２ディスプレイ装置が畳まれれば、共に畳まれる。
【００２５】
前記第１及び第２ディスプレイ装置に内蔵されたディスプレイ領域は、例えば、ＬＣＤ（ｌｉｑｕｉｄ  ｃｒｙｓｔａｌ  ｄｉｓｐｌａｙ）、ＦＥＤ（ｆｉｅｌｄ  ｅｍｉｓｓｉｏｎ  ｄｉｓｐｌａｙ）、ＰＤＰ（ｐｌａｓｍａ  ｄｉｓｐｌａｙ  ｐａｎｅｌ）、ＯＬＥＤ（ｏｒｇａｎｉｃ  ｌｉｇｈｔ−ｅｍｉｔｔｉｎｇ  ｄｉｏｄｅ）のうち、いずれか１つでありうる。
【００２６】
一方、他の類型によるディスプレイ装置は、第１ディスプレイ装置と、前記第１ディスプレイ装置と少なくとも一部重なるように位置した第２ディスプレイ装置と、前記第１ディスプレイ装置と一体に形成されて前記第２ディスプレイ装置の少なくとも一部まで覆うように延びた透明プレートを含みうる。
【００２７】
さらに他の類型によるディスプレイ装置は、第１ディスプレイ装置と、前記第１ディスプレイ装置と少なくとも一部重なるように位置した第２ディスプレイ装置と、前記第１ディスプレイ装置の表面を覆って前記第２ディスプレイ装置の少なくとも一部まで覆うように延びた透明プレートとを含みもする。
【発明の効果】
【００２８】
本発明によれば、ディスプレイパネル間の継ぎ目によって生じうる断絶感をなくすか、減らして、自然な画像を具現しうる。
【図面の簡単な説明】
【００２９】
【図１】本発明による例示的なマルチディスプレイ装置を示す図面である。
【図２】図１に示されたマルチディスプレイ装置で、単位ディスプレイ装置及び透明プレートの連結構造を概略的に示す断面図である。
【図３】図１に示されたマルチディスプレイ装置が折畳まれた状態を示す斜視図である。
【図４】図１に示されたマルチディスプレイ装置が折畳まれた状態を示す断面図である。
【図５】他の実施形態のマルチディスプレイ装置で、単位ディスプレイ装置及び透明プレートの連結構造を概略的に示す断面図である。
【図６】図５に示されたマルチディスプレイ装置が折畳まれた状態を示す断面図である。
【発明を実施するための形態】
【００３０】
以下添付された図面を参照しつつ、本発明の実施形態を詳細に説明する。但し、本明細書に記載された内容と図面に示された構成は、本発明の一実施形態に過ぎず、本発明の技術的思想を代弁するものではないので、本出願時点においてそれらを代替しうる多様な均等物及び変形例がありえるということを理解せねばならない。
【００３１】
図１及び図２は、本発明の一実施形態によるマルチディスプレイ装置１００を示す図面である。マルチディスプレイ装置１００は、複数のディスプレイ装置を多様な方法で連結して作れるが、ここでは説明の便宜上、映像をディスプレイするための第１及び第２ディスプレイ領域１４０、２４０を各々含む２つのディスプレイ装置１１０、２１０のみ連結する場合を例として説明する。前記ディスプレイ領域１４０、２４０は、スクリーンと呼ばれる。
【００３２】
図１及び図２では、２つのディスプレイ装置が連結された例が図示されているが、３つまたはそれ以上のディスプレイ装置を連結して一画面を具現する場合にも同じ原理が適用されうる。
【００３３】
まず、それぞれの第１及び第２ディスプレイ装置１１０、２１０は、図２に示されたように、画像を具現するために第１及び第２基板１２０、２２０上に各々の積層された第１及び第２ディスプレイ領域１４０、２４０、及び前記第１及び第２ディスプレイ領域１４０、２４０を覆って保護する第１及び第２カバー１３０、２３０を有している。したがって、マルチディスプレイ装置１００が前面発光タイプであれば、第１及び第２ディスプレイ領域１４０、２４０が作りだした映像が本体のうち、第１及び第２カバー１３０、２３０を通じてディスプレイされる。マルチディスプレイ装置１００が背面発光タイプであれば、第１及び第２基板１２０、２２０を通じて映像がディスプレイされる。図１及び図２では、前面発光タイプのマルチディスプレイ装置１００が例示的に図示されている。第１及び第２ディスプレイ装置１１０、２１０に内蔵された第１及び第２ディスプレイ領域１４０、２４０は、例えば、ＬＣＤ、ＦＥＤ、ＰＤＰ、ＯＬＥＤのような平板ディスプレイ用素子がいずれも該当する。
【００３４】
図１及び図２に示されたように、第１及び第２ディスプレイ装置１１０、２１０は互いに接触している。一実施形態で、このような第１及び第２ディスプレイ装置１１０、２１０は固定された形態でもありえるが、それとは異なって、図１に示されたように、ヒンジ軸Ｈを中心に折畳み可能な折畳み方式で連結されて１つの画面を具現することもできる。折畳み方式で連結される場合、例えば、２つのディスプレイ装置１１０、２１０を広げた時、図２のように２つのディスプレイ装置１１０、２１０が上下に一部重なって、段差をなして構成されうる。ディスプレイ装置１１０、２１０が重なってディスプレイ領域１４０、２４０の境界面が同一垂直線１７０上に一致するように構成すれば、垂直方向から見た時、画面が連続されたようにもできる。しかし、かかる場合にも、両ディスプレイ装置１１０、２１０間の垂直段差感が感じられる。このような段差感を除去するために、マルチディスプレイ装置１００は、第１及び第２ディスプレイ領域１４０、２４０と接触する透明プレート２５０を追加的に含みうる。一実施形態で、前記透明プレート２５０は、上部ディスプレイ装置１１０の全体または大部分を覆い包みうる。または、前記透明プレート２５０は、第１ディスプレイ装置１１０と一体化されるように構成されて第１ディスプレイ装置１１０の上面全体を覆い包むことができる。マルチディスプレイ装置１００の胴体１８０が第１ディスプレイ装置１１０の上面一部を覆う場合は、透明プレート２５０が上面全体を覆い包む必要はない。透明プレート２５０は、第２ディスプレイ装置２１０の上面側に少なくとも一部延び、図１及び２では、透明プレート２５０が第２ディスプレイ装置２１０の第２ディスプレイ領域２４０全体をカバーするように延びたことを示す。透明プレート２５０は、第２ディスプレイ装置２１０の上面全体をカバーするように延ばせる。ディスプレイ装置１００の胴体１８０が第２ディスプレイ装置２１０の上面一部を覆う場合には、透明プレート２５０の延長部分が第２ディスプレイ装置２１０の上面全体をカバーする必要はない。
【００３５】
透明プレート２５０は、第１及び第２ディスプレイ装置１１０、２１０を折畳む時に、畳まれるように、フレキシブルで、弾性復元が可能な軟質性材料からなりうる。一実施形態で、透明プレート２５０は、約１．０ないし２．０の屈折率を有する光学的に透明な材料からなりうる。例えば、透明プレート２５０は、有機ポリマーを含みうる。有機ポリマーは、熱可塑性ポリマー、熱硬化性ポリマー、または熱可塑性ポリマーと熱硬化性ポリマーとの混合でありうる。このような有機ポリマーは、室温での測定時、約１０４ないし１０７Ｐａ程度の弾性係数を有する弾性重合体でありうる。
【００３６】
一例として、透明プレート２５０は、ポリオレフィン、ポリアクリル酸、ポリアクリレート、ポリメチルメタクリレート、ポリカーボネート、ポリスチレン、ポリエステル、ポリアリレート、ポリアリールスルホン、ポリエーテルスルホン、ポリフェニレンスルフィド、ポリスルホン、ポリイミド、ポリエーテルイミド、ポリテトラフルオロエチレン、ポリエーテルケトン、ポリエーテルエーテルケトン、ポリエーテルケトンケトン、ポリシロキサン、ポリブタジエン、ポリ−イソプレン、ポリニトリルのうちから選択されたいずれか１つの材料またはそれらの組合わせのうち、１つでなされうる。例示的なポリマーはポリシロキサンであり、例示的なポリシロキサンは、ＰＤＭＳ（ポリジメイチルシロキサン）でありうる。
【００３７】
図３及び図４は各々図１及び図２に示されたマルチディスプレイ装置１００が折畳まれた状態を例示的に示す斜視図及び断面図である。図３の場合、ディスプレイ装置１１０、２１０と透明プレート２５０とが胴体１８０内に配されているために、透明プレート２５０内の折畳まれた状態が見られない。図４を参照すれば、透明プレート２５０が軟質性材料からなっているために、両ディスプレイ装置１１０、２１０の折畳み時に容易に畳まれうる。図４には、透明プレート２５０が非常に厚く図示されているが、実際には透明プレート２５０が薄く形成されているために、このように畳まれることが可能である。透明プレート２５０の厚さについては後述する。
【００３８】
また、透明プレート２５０の屈折率調節のために、透明プレート２５０の材料に適切な添加剤がさらに含まれうる。そのような添加剤としては、ＴｉＯ２、ＳｉＯ２、ＺｒＯ２またはそれらの混合物を使用しうる。添加剤は小粒子の形態を有しうるが、それら粒子は光散乱を最小化するために平均的にｎｍスケールの範囲にありうる。例えば、前記添加剤の粒子は、約５００ｎｍ以下、特に１００ｎｍ以下の大きさを有することができる。このように軟質性材料で透明プレート２５０を製造する場合、透明プレート２５０とその下部の第２ディスプレイ装置２１０がオーバーラップされる時、透明プレート２５０と第２ディスプレイ装置２１０は、軟質性材料の弾力的な圧縮変形により互いに密着されうる。
【００３９】
図１及び図２に示されたように、第１ディスプレイ装置１１０が透明プレート２５０内に入り込めば、第１ディスプレイ装置１１０と透明プレート２５０との間にエアーギャップがなくなる。したがって、エアーギャップ内で光が散乱または全反射されて発生する両ディスプレイ装置１１０、２１０間の断絶感がなくなる。
【００４０】
また、透明プレート２５０が第２ディスプレイ装置２１０の発光領域の第２ディスプレイ領域２４０まで延びれば、前記マルチディスプレイ装置１００の上面は、全面にわたって一定の高さに保持される。したがって、第１ディスプレイ装置１１０と第２ディスプレイ装置２１０との段差感を減らすか、無くせる。そのために図１及び図２に示されたように、前記透明プレート２５０は、両ディスプレイ装置１１０、２１０の発光領域の第１及び第２ディスプレイ領域１４０、２４０をいずれも覆うように構成しうる。したがって、透明プレート２５０の大きさは、第１及び第２ディスプレイ装置１１０、２１０の全体発光領域の大きさと同じか、またはそれよりさらに大きくありえる。
【００４１】
このような透明プレート２５０は、第１ディスプレイ装置１１０と共に一体型の構造で形成されうる。例えば、透明なシリコン樹脂（例えば、ポリシロキサン）で透明プレート２５０を形成する場合、液状の成形段階で第１ディスプレイ装置１１０を成形フレーム内に入れた後、液状のシリコン樹脂を硬化させうる。それにより、第１ディスプレイ装置１１０は、透明プレート２５０内に一体に密封される。その後、透明プレート２５０を第２ディスプレイ装置２１０上に配置することによって、マルチディスプレイ装置１００が形成されうる。
【００４２】
さらに具体的に、前記マルチディスプレイ装置１００の第１ディスプレイ装置１１０が軟質性透明プレート２５０で取り囲む方法は次の通りである。まず、ＬＣＤ、ＦＥＤ、ＰＤＰ、ＯＬＥＤのような第１ディスプレイ領域１４０を有する第１ディスプレイ装置１１０を準備する。その後、液状の有機ポリマー混合物を準備する。液状の混合物を成形フレーム内に注いで、前記成形フレーム内にある液状の混合物に第１ディスプレイ装置１１０を挿入する。第１ディスプレイ装置１１０が液状の混合物により囲まれるように配された後には、適切な硬化方法で前記液状の混合物を硬化させる。例えば、有機ポリマーの種類によって、ＵＶ硬化方式または熱硬化方式を使用しうる。例えば、キュアリングにより、または溶媒を蒸発させることによって、硬化が達成されうる。次いで、硬化された軟質材を一定の厚さに射出すれば、第１ディスプレイ装置１１０を覆っている透明プレート２５０が得られる。この際、射出工程を通じて得た透明プレート２５０の延びた一部を第２ディスプレイ装置２１０上に配させれば、マルチディスプレイ装置１００が形成される。
【００４３】
ここで、透明プレート２５０の適切な厚さは、第１ディスプレイ装置１１０の厚さによって変わりうる。例えば、透明プレート２５０内に入る第１ディスプレイ装置１１０の総厚さは、約０．０１ｍｍないし３ｍｍ程度でありうる。この場合、透明プレート２５０の総厚さは、第１ディスプレイ装置１１０の総厚さより約０．００２ｍｍないし２ｍｍ程度さらに厚いことが有利である。すなわち、透明プレート２５０で第１ディスプレイ装置１１０のいずれか一面を覆い包む部分は、第１ディスプレイ装置１１０の上面や下面から各々約０．００１ｍｍないし１ｍｍ程度の厚さを有し、透明プレート２５０で第２ディスプレイ装置２１０の上面側に延びた部分は、約０．０１２ｍｍないし５ｍｍ程度の厚さを有することができる。
【００４４】
一方、第１ディスプレイ装置１１０のカバー１３０と透明プレート２５０との界面で、光が屈折されないように、前記カバー１３０と透明プレート２５０との屈折率が実質的に互いに同じであることが有利である。または、カバー１３０と透明プレート２５０との屈折率が同一ではないとしても、光の屈折効果がほとんど現れないほどに類似していても良い。カバー１３０と透明プレート２５０との間に屈折率差が存在する場合にも、その差は約０．０５以下、特に約０．１以下であることが有利である。前述したように、前記透明プレート２５０の屈折率は、約１．０ないし約２．０の範囲内にあることが適当でありえる。
【００４５】
また、マルチディスプレイ装置１００の用途によって性能の向上のために、前記軟質性透明プレート２５０の上部に所定の光学フィルム（図示せず）をさらに付着することが可能である。例えば、偏光フィルムや、反射防止フィルム（ＡＲフィルム）またはアンチグレアフィルム（ＡＧフィルム）などを前記透明プレート２５０の全面に付着しうる。
【００４６】
図５は、本発明の他の実施形態によるマルチディスプレイ装置においてディスプレイ装置及び透明プレートの連結構造を概略的に示す断面図である。図５を参照すれば、第１ディスプレイ装置１１０’の基板１２０’は、第２ディスプレイ装置２１０の付近で他の部分より薄く形成されている。すなわち、第１ディスプレイ装置１１０’の厚さは、第２ディスプレイ装置２１０の付近で他の部分より一般的にさらに薄い。したがって、本実施形態によれば、第１ディスプレイ装置１１０’の基板１２０’は、厚さの異なる２つの領域を有し、第２ディスプレイ装置２１０との付近領域が前記第２ディスプレイ装置２１０から離れている他の領域より厚さが薄い。この場合、透明プレート２５０’は、第１ディスプレイ装置１１０’全体を覆い包むものではなく、第１ディスプレイ装置１１０’の上面全体または一部と、下面の厚さが薄い領域のみを覆い包む。図５に示されたように、透明プレート２５０’は、図２の実施形態と同様に、第１ディスプレイ装置１１０’の発光領域の第１ディスプレイ領域１４０を覆うように、第１ディスプレイ装置１１０’のカバー１３０上を覆っている。しかし、図２の実施形態と異なって、第１ディスプレイ装置１１０’の基板１２０’については、透明プレート２５０’が基板１２０’の薄い部分まで覆っている。図５に示された実施形態の残りの構成は、図２の説明と同じである。
【００４７】
このように図５に示された実施形態によれば、ディスプレイ装置１１０’、２１０間の境界またはその付近部分で、第１ディスプレイ装置１１０’の基板１２０’がさらに薄く処理されているために、第１ディスプレイ装置１１０’と第２ディスプレイ装置２１０との発光領域の垂直段差がさらに減る。したがって、両ディスプレイ装置１１０’、２１０間の画面の断絶感をさらに緩和させうる。
【００４８】
図６は、図５に示されたマルチディスプレイ装置が折畳まれた状態を例示的に示している。図４に示された場合と同様に、透明プレート２５０’が軟質性材料からなっているために、両ディスプレイ装置１１０’、２１０の折畳み時に、容易に畳まれうる。図６に示された透明プレート２５０’は、図４に示された透明プレート２５０に比べて、さらに薄く形成されるために、さらに容易に畳まれうる。
【符号の説明】
【００４９】
１００    マルチディスプレイ装置
１１０、１１０’、２１０    ディスプレイ装置
１２０、１２０’、２２０    基板
１３０、２３０    カバー
１４０、２４０    第１及び第２ディスプレイ領域
１８０    胴体
２５０、２５０’    透明プレート
【図１】
2010117717.tif 000003
【図２】
2010117717.tif 000004
【図３】
2010117717.tif 000005
【図４】
2010117717.tif 000006
【図５】
2010117717.tif 000007
【図６】
2010117717.tif 000008